(57)【要約】【課題】  プッシュ操作だけで引き戸の補助ロック装置をロック操作できるようにして、当該補助ロック装置の操作性を向上する。【解決手段】  本発明は、屋外引き戸２の屋内側面に取り付け可能な取付基板５と、この取付基板５に上下揺動自在に設けられたロック部材６とを備えており、このロック部材６が、屋内引き戸３の走行経路から外れるアンロック姿勢と、屋内引き戸３の走行経路内に突出するロック姿勢とに切り換え自在になっている引き戸の補助ロック装置１に関する。この補助ロック装置１は、ロック部材６を常にロック姿勢側に付勢する付勢部材９と、この付勢部材５に抗してロック部材６をアンロック姿勢に保持する保持部材１２と、屋外側に向かってプッシュ操作されることで屋内引き戸３の走行路に突出する当接部２１を有し、この当接部２１に屋内引き戸２が衝突することで保持部材１２による保持を解除させるスイッチ部材１３Ｒ，１３Ｌと、を備えている。【選択図】図１
2010112140.tif 000002
【特許請求の範囲】
【請求項１】
屋外引き戸の屋内側面に取り付け可能な取付基板と、この取付基板に上下揺動自在に設けられたロック部材とを備えており、このロック部材が、屋内引き戸の走行経路から外れるアンロック姿勢と屋内引き戸の走行経路内に突出するロック姿勢とに切り換え自在になっている引き戸の補助ロック装置において、
前記ロック部材を常にロック姿勢側に付勢する付勢部材と、
この付勢部材に抗して前記ロック部材をアンロック姿勢に保持する保持部材と、
屋外側に向かってプッシュ操作されることで屋内引き戸の走行路に突出する当接部を有し、この当接部に前記屋内引き戸が衝突することで前記保持部材による保持を解除させるスイッチ部材と、を備えていることを特徴とする引き戸の補助ロック装置。
【請求項２】
一つの前記取付基板に対して左右一対の前記スイッチ部材が設けられており、この各スイッチ部材が当該取付基板の中心線に対して線対称となるように配置されている請求項１に記載の引き戸の補助ロック装置。
【請求項３】
前記保持部材は、左右一対の前記スイッチ部材のいずれの部材によっても操作可能となるように、当該スイッチ部材の間に配置されている請求項１又は２に記載の引き戸の補助ロック装置。
【発明の詳細な説明】
【技術分野】
【０００１】  本発明は、引き戸の屋内側面に取り付けることで防犯機能を向上できる引き戸の補助ロック装置に関する。
【背景技術】
【０００２】  例えば、家屋の窓部やバルコニー等におけるアルミサッシよりなる引き戸装置には、部外者が屋内へ侵入するのを防止するための本締まり錠としてクレセント錠が広く採用されている。
しかし、上記クレセント錠による施錠だけでは、屋外引き戸のガラスの錠対応部分だけを割って当該クレセント錠を解錠すれば、部外者が比較的容易に侵入できることが知られている。【０００３】  そこで、例えば、特許文献１に示すように、屋外引き戸のガラスの屋内側面に貼り付け可能な取付基板と、この取付基板に上下揺動自在に設けられたロック部材とを備えた引き戸の補助ロック装置が既に開発されている。
この場合のロック部材は、取付基板に対して横軸心回りに上下揺動自在に枢着された板材よりなり、屋内引き戸の走行経路から外れるアンロック姿勢（特許文献１の図２（ａ）の状態）と、屋内引き戸の走行経路内に突出するロック姿勢（特許文献１の図２（ｂ）の状態）とに切り換え自在になっている。【０００４】  そして、この従来の補助ロック装置によれば、当該ロック装置を屋外引き戸の隅部に貼り付けた場合には、クレセント錠による本施錠に加えて、閉鎖状態にある両引き戸を補助的にロックすることができる。なお、当該ロック装置を屋外引き戸の中央部よりに貼り付けた場合には、屋内引き戸を換気のために半開きにした状態で両引き戸をロックすることができる。
【特許文献１】  実用新案登録第３０５４４２９号公報
【発明の開示】
【発明が解決しようとする課題】
【０００５】  上記従来の補助ロック装置では、ロック部材又は取付基板の一方に他方を吸着する板状の磁石が取り付けられており、この磁石によってロック部材は常にアンロック姿勢に保持されている。
このため、両引き戸をロックするためにロック部材をロック姿勢側に揺動させる場合、ユーザは、上記磁石の磁力よりも大きな力でロック部材を屋内側に揺動させる必要があり、ロック部材をロック姿勢にする操作が煩雑であるという欠点がある。【０００６】  特に、上記従来の補助ロック装置では、ロック部材を取付基板に磁力で吸着させることでロック部材をアンロック姿勢に保持していることから、例えば冬季にロック部材が凍結した状態で取付基板に吸着した場合には、当該ロック部材をロック姿勢側に揺動するのが非常に困難になる場合がある。
そこで、本発明の課題は、単純なプッシュ操作だけで引き戸の補助ロック装置をロック操作できるようにして、当該補助ロック装置の操作性を向上する点にある。
【課題を解決するための手段】
【０００７】  上記課題を達成するために、本発明は次の解決手段を採用した。
すなわち、本発明は、前記した引き戸の補助ロック装置において、前記ロック部材を常にロック姿勢側に付勢する付勢部材と、この付勢部材に抗して前記ロック部材をアンロック姿勢に保持する保持部材と、屋外側に向かってプッシュ操作されることで屋内引き戸の走行路に突出する当接部を有し、この当接部に前記屋内引き戸が衝突することで前記保持部材による保持を解除させるスイッチ部材と、を備えていることを特徴とする。【０００８】  本発明によれば、付勢部材がロック部材を常にロック姿勢側に付勢し、かつ、保持部材がその付勢部材に抗してロック部材をアンロック姿勢に保持しており、その保持部材によるアンロック保持をスイッチ部材で解除する。
そして、上記スイッチ部材が、屋外側に向かってプッシュ操作されることで屋内引き戸の走行路に突出する当接部を有し、この当接部に屋内引き戸が衝突することで保持部材による保持を解除させるようになっているので、補助ロック装置をロックするに当たって、ユーザは当該スイッチ部材を屋外側にプッシュ操作しておくだけで足りる。
従って、従来のように、磁力で取付基板に吸着しているロック部材をその磁力に抗して屋内側に揺動させる場合に比べて、補助ロック装置に対するロック操作が簡便になる。【０００９】  本発明において、前記スイッチ部材の設置数や設置位置は特に限定されないが、当該スイッチ部材は、一つの前記取付基板に対して左右一対の前記スイッチ部材が設けられており、この各スイッチ部材が当該取付基板の中心線に対して線対称となるように配置されていることが好ましい。
この場合、左右一対のいずれのスイッチ部材によっても補助ロック装置がロック作動するので、屋外引き戸が左開き又は右開きのいずれの場合でも、一つの補助ロック装置を兼用することができ、当該補助ロック装置の汎用性を向上することができる。【００１０】  また、本発明において、前記保持部材は、左右一対の前記スイッチ部材のいずれの部材によっても操作可能となるように、当該スイッチ部材の間に配置されていることが好ましい。
この場合、左右一対のスイッチ部材のいずれが作動しても、１つの保持部材を動作させることができるので、スイッチ部材を複数設けた場合でも保持部材の部品点数が増大することがなく、材料及び製作コストの点で有利な補助ロック装置が得られる。
【発明の効果】
【００１１】  以上の通り、本発明によれば、単純なプッシュ操作だけで引き戸の補助ロック装置をロック操作できるので、当該補助ロック装置の操作性を向上させることができる。
【発明を実施するための最良の形態】
【００１２】  以下、図面に基づいて本発明の実施形態を説明する。
図１〜図４は、本発明の実施形態を示している。このうち、図１は、建物家屋の窓部やバルコニー等に設置されるアルミサッシよりなる引き戸装置に、本実施形態の補助ロック装置１を取り付けた状態を示している。
同図に示すように、この引き戸装置は、図示していないサッシ枠に互いに引き違い状となるように走行自在に嵌め込まれた屋外引き戸２及び屋内引き戸３と、これらの両引き戸２，３を本締めするためのクレセント錠（図示せず）とを備えていて、両引き戸２，３の枠内には板状の透明又は半透明のガラス４が嵌め込まれている。【００１３】  一方、本実施形態の補助ロック装置１は、屋外引き戸２のガラス４の屋内側面に取り付け可能な取付基板５と、この取付基板５に上下揺動自在に設けられた単一のロック部材６を備えている。
このロック部材６は、取付基板５の中央部下側よりに上下揺動自在に枢着されており、屋内引き戸３の走行経路から外れるアンロック姿勢（図１における実線状態）と、屋内引き戸３の走行経路内に突出するロック姿勢（図１における仮想線状態）とに切り換え自在となっている。【００１４】  図２〜図４に示すように、上記取付基板５は、扁平でかつ中空の上下両縁部アール状に面取りされたアルミ合金製の箱体よりなり、この取付基板５の裏面側には粘着性接着剤等よりなる接着層（図示せず）が設けられている。
この接着層に、「防犯補助錠設置」という警告表示を記載し、この警告表示をガラス４を透して屋外側から見えるようにすれば、泥棒等の部外者の侵入を心理的に牽制することができる。なお、この警告表示は、当該引き戸装置に何らかの防犯対策が施されていることを観念させる表示であればよく、「警官立ち寄り所」や「セキュリティーシステム設置済み」等の種々の表示を採用することができる。【００１５】  取付基板５の中央部でかつ下側よりには、ロック部材６の収納凹部７が形成されている（図２及び図４参照）。この収納凹部７の上部側には、水平方向の枢着軸８が架設されており、この枢着軸８をロック部材６の基端部に貫通させることにより、ロック部材６が上下揺動自在に取付基板５に枢着されている。
なお、図４に示すように、ロック部材６がアンロック姿勢になると、ロック部材６のほぼ全体が収納凹部７内に収納され、当該ロック部材６の表面が取付基板５の表面とほぼ面一になる。【００１６】  また、取付基板５の厚さＴ（図４（ａ）参照）は、屋外引き戸２のガラス４と屋内引き戸３の縦枠との間の隙間Ｅ（図１参照）よりも小さくなるように設定されている。
ロック部材６は、ほぼ長方形状のステンレス製の板材よりなり、下方に揺動してその全体が収納凹部７に収納されたときにアンロック姿勢となり、この姿勢から９０度だけ上方に揺動して、取付基板５に対して垂直に突出するロック姿勢となる。【００１７】  前記枢着軸８には、ロック部材６を常にロック姿勢側に付勢する付勢部材として機能する巻きバネ９が巻き付けられており、ロック部材６の上端縁には、ロック部材６の揺動角度をほぼ９０度に規制するための規制片１０（図４（ａ）参照）が形成されている。
このため、巻きバネ１０によってロック姿勢側に付勢されたロック部材６は、その規制片１０が収納凹部７の底面に当接することにより、当該ロック部材６が取付基板５に対して垂直に突出するロック姿勢に保持される。【００１８】  図２及び図３に示すように、取付基板５の内部には、上記巻きバネ９の付勢力に抗してロック部材６をアンロック姿勢に保持する保持部材１２が収納され、取付基板５の上部側には、その保持部材１２による保持を解除するための左右一対のスイッチ部材１３Ｒ，１３Ｌが設けられている。
このうち、保持部材１２は、上下方向に沿って移動自在となるように取付基板５の中央部に収納された縦長の棒状部材よりなり、収納凹部７に向かって出退する掛止片１４を下端部に備えている。【００１９】  また、取付基板５の上部側の内空部には、上記保持部材１２を常にロック部材６側（下側）に付勢する付勢部材として機能する板バネ１５（図２参照）が収納されている。この板バネ１６は、中央部が正面視で下に凸に湾曲する弓形を呈している。
そして、上記板バネ１５の湾曲部分に保持部材１２の上端が当接した状態で、上下動自在な保持部材１２が取付基板５内に収納されており、これにより、保持部材１２の下端部の掛止片１４が収納凹部７に向かって常時突出するようになっている。【００２０】  保持部材１２に形成された掛止片１４は、ロック部材６に対する接近又は離反に伴ってアンロック姿勢の当該ロック部材６に係脱するアンロック保持用のものである。すなわち、前記ロック部材６の上端部には、掛止片１４が引っ掛かることでロック部材６の上方揺動を規制する被掛止孔１６が形成されている。
このため、保持部材１２の掛止片１４が被掛止孔１６に挿通されている間は、ロック部材６はアンロック姿勢に保持されるが、保持部材１２がロック部材６から離反する方向（上方）に移動すると、掛止片１４が被掛止孔１６ら外れ、ロック部材６が巻きバネ９の付勢力でロック姿勢側に上方揺動する。【００２１】  図１及び図２に示すように、左右一対のスイッチ部材１３Ｒ，１３Ｌは、取付基板５の中央部から上側の部分に設けられたスライドフレーム１７に搭載されている。このスライドフレーム１７は、左右方向に水平移動自在となるように取付基板５に収容され、当該取付基板５の横幅とほぼ同じ長さの中空枠体よりなる。
なお、左右一対のスイッチ部材１３Ｒ，１３Ｌは、いずれもスライドフレーム１７の中心に対して左右対称であり、保持部材１２に対する解除機能の点で同じ機能を奏することから、以下においては、右側のスイッチ部材１３Ｒを例にとって当該スイッチ部材の構造を説明する。【００２２】  図２及び図３に示すように、スイッチ部材１３Ｒは、ほぼ横長の長方形板よりなり、スライドフレーム１７の右側部分に形成された収納溝部１８に収納されている。このスイッチ部材１３Ｒの中途部は、上下方向に向けて収納溝部１８に架設された支持軸１９に回動自在に支持されている。
上記支持軸１９は、その両端支持部が左右方向の所定範囲内で直線移動可能となるようにスライドフレーム１７に装着されており、収納溝部１８内に設けられたコイルバネ２０によって左右方向中央側に常に付勢されている。【００２３】  このため、スイッチ部材１３Ｒは、取付基板５の表裏方向（図３の上下方向）に対して揺動自在になっている。
また、スイッチ部材１３Ｒの先端縁部（左右方向外側の端部）には、断面ほぼＬ字型の当接部２１が形成され、この当接部２１の内面側には係合溝部２２が形成されている。更に、スライドフレーム１７の収納溝部１８には、スイッチ部材１３Ｒの基端縁部が係脱自在に乗り上げ可能な傾斜カム面２３が形成されている。【００２４】  従って、スイッチ部材１３Ｒをプッシュ操作していない非操作状態（図３の左側のスイッチ部材１３Ｌの状態）では、当接部２１の係合溝部２２がスライドフレーム１７に形成された係合突条２４に引っ掛かり、スイッチ部材１３Ｒがスライドフレーム１７の収納溝部１８内に収まった状態に姿勢保持される。
一方、スイッチ部材１３Ｒの基端部分をプッシュ操作すると、支持軸１９がコイルバネ２０に抗して右側に移動しつつ、スイッチ部材１３Ｒの基端縁部が傾斜カム面２３に乗り上げて位置決めされる。これにより、当接部２１が屋内側（図３の下側）に突出する操作状態（図３の右側のスイッチ部材１３Ｒの状態）に姿勢保持される。【００２５】  本実施形態のスライドフレーム１７は、中央部にほぼ三角形状のスライド片２５（図２参照）を有しており、このスライド片２５は、前記保持部材１２の中央部に形成された押し上げ用のカム面２６に当接している。
そして、このスライド片２５とカム面２６が互いに当接する摺動面は、スライドフレーム１７が取付基板５と中心線が一致する中立位置から左右いずれかの方向に移動した場合に、保持部材１２が上方に移動する方向に傾斜している。【００２６】  このため、右側のスイッチ部材１３Ｒが操作状態である場合には、その当接部２１に屋内引き戸３が衝突すると、スライドフレーム１７が上記中立位置から左側に移動する。
従って、このスライドフレーム１７の移動に伴ってスライド片１７がカム面２６を介して保持部材１２を上方に押し上げ、ロック部材６に対する保持部材１２によるアンロック保持が解除されるようになっている。【００２７】  次に、本実施形態の補助ロック装置１の使用方法と作用を説明する。
まず、補助ロック装置１を屋外引き戸２のガラス４に取り付けた状態において、ロック部材６がアンロック姿勢（図１参照）であり、かつ、左右のスイッチ部材１３Ｒ，１３Ｌが未操作状態にある場合には、補助ロック装置１が前記隙間Ｅ（図１参照）を通り抜けることができ、両引き戸２，３をサッシ枠に沿って走行させることができる。【００２８】  一方、補助ロック装置１で両引き戸２，３をロックしたい場合には、ユーザは、右側のスイッチ部材１３Ｒの基端部を屋外側に向かってプッシュ操作すればよい。
すると、図１に示すように、右側のスイッチ部材１３Ｒの当接部２１が屋内引き戸３の走行路に突出し、当該スイッチ部材１３Ｒが操作状態となる。このスイッチ部材１３Ｒが操作状態である場合には、屋外引き戸２や屋内引き戸３が強制的に開放されようとすると、屋内引き戸３の縦枠がスイッチ部材１３Ｒの当接部２１に衝突する。【００２９】  これにより、スライドフレーム１７が左側に移動して保持部材１２がスライド片２５によって上方に押し上げられる。すると、保持部材１２によるアンロック保持が解除されて掛止片１４がロック部材６から外れ、巻きバネ９の付勢力でロック部材６が揺動してロック姿勢となる。
このようにしてロック部材６がロック姿勢になると、ロック部材６が屋内引き戸３の走行経路に突出するため、両引き戸２，３が本格的にロックされることになる。【００３０】  以上の通り、本実施形態の補助ロック装置１によれば、一方のスイッチ部材１３Ｒを指で１回プッシュ操作しておくという極めて単純なロック操作だけで、補助ロック装置１を施錠することができる。
従って、従来のように、磁力で取付基板５に吸着しているロック部材６をその磁力に抗して屋内側に揺動させる場合に比べて、補助ロック装置１に対するロック操作が非常に簡単になる。【００３１】  また、本実施形態の補助ロック装置１では、左右一対のいずれのスイッチ部材１３Ｒ，１３Ｌによっても、補助ロック装置１に対するロック操作が可能となっているので、屋外引き戸２が左開き又は右開きのいずれの場合でも、一つの補助ロック装置１を兼用することができ、当該補助ロック装置１の汎用性を向上することができる。【００３２】  更に、本実施形態の補助ロック装置１では、保持部材１２が、左右一対のスイッチ部１３Ｒ，１３Ｌ材のいずれの部材によっても操作可能となるように、取付基板５における当該スイッチ部材１３Ｒ，１３Ｌの間に配置されている。
このため、左右一対のスイッチ部材１３Ｒ，１３Ｌのいずれが操作されても、同じ保持部材１２のアンロック保持を解除できるので、当該スイッチ部材を複数設けた場合でも保持部材１２の部品点数が増大することがなく、材料及び製作コストの点で有利である。【００３３】  なお、本発明は上記実施形態に限定されるものではない。例えば、スイッチ部材は必ずしも左右一対設ける必要はなく、単一部材であってよい。
また、本発明の補助ロック装置１は、引き戸２，３間の隙間が大きい場合には、屋外引き戸２のガラス４ではなく上枠又は下枠に貼り付けることもできる。
【図面の簡単な説明】
【００３４】
【図１】  本発明の補助ロック装置とその設置状態を示す斜視図である。
【図２】  上記補助ロック装置の、右側が断面図よりなる正面図である。
【図３】  上記補助ロック装置のスライドフレーム部分の平面断面図である。
【図４】  上記補助ロック装置の右側から見た側面断面図であり、（ａ）はロック部材がアンロック姿勢の状態、（ｂ）はロック部材がロック姿勢の状態を示す。
【符号の説明】
【００３５】  １    補助ロック装置
２    屋外引き戸
３    屋内引き戸
５    取付基板
６    ロック部材
９    巻きバネ（付勢部材）
１２    保持部材
１３Ｒ  右側のスイッチ部材
１３Ｌ  左側のスイッチ部材
１７    スライドフレーム
２１    当接部
【図１】
2010112140.tif 000003
【図２】
2010112140.tif 000004
【図３】
2010112140.tif 000005
【図４】
2010112140.tif 000006